(57)【要約】【課題】  同一機能の電子機器を、多数国向けに生産する場合、各国毎の仕様を満たす回路図を効率よく作成する。【解決手段】  新回路図の基となるデータとして、複数の既存の回路図面の中から一つを選択し、選択された既存の回路図面のコピーをして新回路図モデルを作成し、選択された既存の回路図を構成する部品情報と新回路図の部品情報とを比較し、一致する場合は、選択された既存の回路図の情報を新回路図の情報として用い、不一致の場合には、選択された既存の回路情報と不一致の部品情報を新回路図の部品情報に変更する。【選択図】      図１
2005309637.tif 000002
【特許請求の範囲】
【請求項１】
電子機器の回路図作成方法において、予め、複数の既存の回路図面を識別子と対応させて記憶し、新規に作成すべき電子機器の新回路図の識別子を入力し、前記新回路図の基となるデータとして、前記複数の既存の回路図面の中から一つを、識別子を入力することで選択し、前記選択された既存の回路図面のコピーをして新回路図モデルを作成し、作成された新回路図モデルと前記入力された新回路図の識別子とを対応付けて新回路図として記憶し、前記記憶された新回路図を表示し、前記選択された既存の回路図を構成する部品情報と前記新回路図の部品情報とを比較し、一致する場合は、前記選択された既存の回路図の情報を前記新回路図の情報として用い、不一致の場合には、前記選択された既存の回路情報と不一致の部品情報を前記新回路図の部品情報に変更することを特徴とする電子機器の回路図作成方法。
【請求項２】
前記部品情報は、各国毎の仕様に応じた仕向け地であることを特徴とする請求項１に記載の電子機器の回路図作成方法。
【請求項３】
前記仕向け地は、電子機器に含まれる回路部品の定数を含むことを特徴とする請求項２記載の電子機器の回路図作成方法。
【請求項４】
前記記憶された新回路図の表示は、前記新回路図モデルと前記仕向け地において要求される各電子部品の定数とを比較し、前記比較結果として各電子部品の定数の一致と不一致とを表示することを特徴とする請求項３記載の電子機器の回路図作成方法。
【請求項５】
電子機器の回路図作成装置において、予め、複数の既存の回路図面を識別子と対応させて記憶する記憶部と、新規に作成すべき電子機器の新回路図の識別子と、前記新回路図の基となるデータとして、前記複数の既存の回路図面の中から一つを選択する識別子を入力する入力部と、前期入力部から入力された前記選択された既存の回路図面のコピーをして新回路図モデルを作成し、作成された新回路図モデルと前記入力された新回路図の識別子とを対応付けて新回路図として前記記憶部へ記憶させる制御部と、前記制御部の制御に応じて、前記記憶部に記憶された新回路図を表示する表示部とを有し、前記制御部は、前記選択された既存の回路図を構成する部品情報と前記新回路図の部品情報とを比較し、一致する場合は、前記選択された既存の回路図の情報を前記新回路図の情報として用い、不一致の場合には、前記選択された既存の回路情報と不一致の部品情報を前記表示部に表示することを特徴とする電子機器の回路図作成装置。
【請求項６】
前記部品情報は、各国毎の仕様に応じた仕向け地であることを特徴とする請求項５に記載の電子機器の回路図作成装置。
【請求項７】
前記仕向け地は、電子機器に含まれる回路部品の定数を含むことを特徴とする請求項６記載の電子機器の回路図作成装置。
【請求項８】
前記制御部は、前記新回路図モデルと前記仕向け地において要求される各電子部品の定数とを比較し、前記表示部は、前記比較結果として各電子部品の定数の一致と不一致とを表示することを特徴とする請求項７記載の電子機器の回路図作成装置。
【発明の詳細な説明】
【技術分野】
【０００１】
本発明は、電子機器の回路図作成方法及びその装置に関するものであり、特に、電子機器の回路図作成を各国の仕様に応じ簡単に作成できる方法および装置に関する。
【背景技術】
【０００２】
回路図作成に適応可能なツールとして図面エディタがあり、操作者の負担を軽減するものとして、各図面に対する固有の操作パターンを記憶しておき、入力された操作情報と比較してこれを実行する。これにより、その都度、メニューを表示し、それを選択するという操作が不要となり図面を作成するための時間を短縮する方式が提案されている。
【特許文献１】特開平５−２１０７２３号公報
【発明の開示】
【発明が解決しようとする課題】
【０００３】
例えば、デジタル・バーサタイル・デスク（Ｄｉｇｉｔａｌ  Ｖｅｒｓａｔｉｌｅ  Ｄｉｓｋ（以下、ＤＶＤ））、テレビ、ビデオ等の電子機器は各国毎にその仕様が定まっており、同じ機能を提供する電子機器であっても、各国毎に適合すべき仕様を満たさなければならない。そのため、電子機器の回路図の単なる流用はできない。例えば、ＤＶＤ装置の回路図で日本向けの回路図をそのまま米国向けのＤＶＤの回路図とすることはできないし、ヨーロッパ国内でも、国によって仕様が相違する場合も多々ある。同一機能の電子機器を、多数国向けに生産する場合、各国毎の仕様を満たす回路図を効率よく作成することは、生産性向上のための重要な課題である。
【０００４】
また、従来の図面エディタでは、操作者の負担はある程度軽減されるものの、各国毎に仕様の異なる同一機能の電子機器部品の回路図を効率よく作成するという点については、考慮されていない。
【０００５】
本発明は、このような問題点に鑑みてなされたものであり、一度作成した回路図を用いて仕様の異なる同一機能の電子機器の回路図を効率よく作成することのできる電子機器の回路図作成方法及び装置を提供するものである。
【課題を解決するための手段】
【０００６】
第１の発明は、電子機器の回路図作成方法において、予め、複数の既存の回路図面を識別子と対応させて記憶し、新規に作成すべき電子機器の新回路図の識別子を入力し、前記新回路図の基となるデータとして、前記複数の既存の回路図面の中から一つを、識別子を入力することで選択し、前記選択された既存の回路図面のコピーをして新回路図モデルを作成し、作成された新回路図モデルと前記入力された新回路図の識別子とを対応付けて新回路図として記憶し、前記記憶された新回路図を表示し、前記選択された既存の回路図を構成する部品情報と前記新回路図の部品情報とを比較し、一致する場合は、前記選択された既存の回路図の情報を前記新回路図の情報として用い、不一致の場合には、前記選択された既存の回路情報と不一致の部品情報を前記新回路図の部品情報に変更することを特徴とする。
【０００７】
第２の発明は、電子機器の回路図作成装置において、予め、複数の既存の回路図面を識別子と対応させて記憶する記憶部と、新規に作成すべき電子機器の新回路図の識別子と、前記新回路図の基となるデータとして、前記複数の既存の回路図面の中から一つを選択する識別子を入力する入力部と、前期入力部から入力された前記選択された既存の回路図面のコピーをして新回路図モデルを作成し、作成された新回路図モデルと前記入力された新回路図の識別子とを対応付けて新回路図として前記記憶部へ記憶させる制御部と、前記制御部の制御に応じて、前記記憶部に記憶された新回路図を表示する表示部とを有し、前記制御部は、前記選択された既存の回路図を構成する部品情報と前記新回路図の部品情報とを比較し、一致する場合は、前記選択された既存の回路図の情報を前記新回路図の情報として用い、不一致の場合には、前記選択された既存の回路情報と不一致の部品情報を前記表示部に表示することを特徴とする。
【発明の効果】
【０００８】
本発明によれば、一度作成した回路図を用いて仕様の異なる同一機能の電子機器の回路図を、効率よく作成できる。例えば、同一機能のＤＶＤを多数国向けに輸出する場合、ドイツ向けに作成した回路図を用いて、他のヨーロッパ各国の仕様に適合させた回路図を効率よく作成できるので、各国向けの回路図の作成時間及び作成コストを短縮及び削減でき、引いてはＤＶＤ製造に関する国際競争力を飛躍的に向上させることができる。
【発明を実施するための最良の形態】
【０００９】
以下、本発明を実施するための最良と思われる形態について、図面を参照して説明する。
【実施例１】
【００１０】
図１は、本発明の実施例の電子機器の回路図作成装置の概略図である。図１には、本発明の実施例を構成する表示部１０、制御部１１及び入力部１３が示されている。
【００１１】
図２は、図１に示される表示部に表示されるメニュー画面を示している。本実施例では、特に、「３．仕向地追加」のメニューにその特徴がある。
【００１２】
図３は、図１に示した電子機器の回路図作成装置の構成図である。
【００１３】
本実施例の電子機器の回路図作成装置は、ＣＲＴや液晶パネル等から構成される表示部１０と、キーボートやマウス等から構成される入力部１３と、モデルとなる複数の既存の回路の図面情報等を格納するハードディスク等から構成される記憶部１２、表示部１０への表示、入力部１３からの入力操作の処理、記憶部へのデータの書き込みまたは読み出しを行う制御部１１とを有する。記憶部のファイル構成は、ディレクトリとして、ｖｖ  ・・・  ｔｍ・・・  ｖｍ・・・、サブディレクトリとして、ｖｍｃ・・・  データとして、  ｃ１０２・・・  Ｒ１１１・・・等と構成されている。
【００１４】
表示部１０は、仕向け地追加の際、作成される仕向け地回路図１０２と、仕向け地回路図を構成する部品情報を各部品毎に表示する仕向け地テーブル１０１をその表示画面１０３に表示する。
【００１５】
制御部１１は、プログラムやデータを格納するメモリ１１２と、メモリ１１２に格納されたプログラムに従い、データ処理や表示部１０、入力部１３１、記憶部１２の動作を制御するＣＰＵ１１１と、表示部１０、記憶部１２及び入力部１３１とのインターフェース、表示部１０、記憶部１２及び入力部１３１の外部デバイス並びにＣＰＵ１１１とメモリ１１２等の内部デバイスとを相互に接続するバスとを有する。さらに、制御部１１の詳細構成図を示すと、図７のとおりとなる。入力部からの指示により選択部によって、ファイル内にある回路図情報、部品情報、仕向け地情報、レイアウト情報が選択される構成となっている。それらの情報は、作成部で表示用ＣＲＴ等に表示されるデータを作成する。
【００１６】
記憶部１２には、複数の既存の回路図面のデータをファイル形式で格納する。各既存の回路図面のデータを各ファイルに格納しており、さらに機種毎のファイルが記憶されている（図４参照）。各ファイルには複数の既存の回路図面のデータとして、各電子機器毎に異なるディレクトリにファイルとして記憶される。例えば、テレビの回路図、ビデオの回路図、ＤＶＤの回路図がそれぞれ異なるディレクトリを構成する。また、同一のディレクトリ内に属する同一機能の電子機器の回路図、例えばテレビの回路図、であっても仕様、即ち、各国毎の仕様に対応した仕向け地の異なる回路図は、同一ディレクトリの異なるファイルに記憶される。各ファイルに格納された、例えば、テレビの回路図、ビデオの回路図、ＤＶＤの回路図に関する情報が回路図情報となる。
【００１７】
図４は、仕向地毎の異なる定数のデータを示しており、これがディレクトリに格納されている。
【００１８】
図５に示すように、各ファイルに格納される複数の既存の回路を構成する各電子部品の定数（抵抗の場合は抵抗値を示し、単位はΩ（オーム）、コンデンサの場合は容量を示し、単位はＦ（ファラッド）等）を対応して記憶する。これが部品情報となる。
【００１９】
また、記憶部１２には、各国の仕様を満たすための情報である仕向け地情報を記憶する。この仕向け地情報は、仕向け地毎（例えば、各国毎）に回路図を分けた場合に記憶する情報である。
【００２０】
さらに、記憶部１２は、レイアウト情報を記憶する。このレイアウト情報は、各回路図を構成する各部品の配置位置、大きさ、接続関係に関する情報であり、選択された既存の回路図を表示部１０に表示する際に制御部１１によって読み出され、表示部１０に表示される。
【００２１】
上述した電子機器の回路図作成装置を用いて、既に作成された複数の既存の回路図から新規な輸出先用の新回路図を作成するための手順について、以下、図６に従って説明する。
【００２２】
まず、電子機器の回路作成装置を立ち上げ、入力部１３からメニュー画面を立ち上げる。メニュー画面は、記憶部１２に記憶された内容を制御部１１が読み出し、制御部内のメモリにロードされたプログラムに従って、制御部１１が表示部１０に表示するように制御する。（ステップ１）
【００２３】
制御部１１内のメモリに格納されたプログラムに基づき、表示部１０には、メニュー画面として、新回路図を作成するためのメニューである仕向け地追加項目が表示される。（ステップ２）
【００２４】
入力部１３により、表示部１０に表示されたメニューから「仕向け地追加」の項目を選択する。（ステップ３）
【００２５】
新規に作成したい仕向け地（例えば、新規輸出国の仕様）用の新回路図の識別子を入力部１３から入力する。この識別子として仕向け地用のファイル番号を入力する。（ステップ４）このファイル番号は、図２で示したように、各電子機器に対応して作成されたディレクトリ内のファイルとなる。
【００２６】
次に、新回路図のモデルとなる選択されるべき既存の回路図の識別子としてファイル番号を、入力部１３から入力し、入力部１３を構成するキーボードのリターンキー或いは実行キーを押す。（ステップ５）ここにおいて、オペレータが作成したい仕向け地の回路図ファイルの番号と元となる既存の仕向け地の回路図ファイル番号を入力し（例えば、ＤＶＤ装置の回路図で日本向けの回路図が完成していてその番号が０２ｄ３−０１である場合、その回路図番号を元の仕向け地に入力し、それをコピーしてアメリカ向けの回路図を作成するとき、新仕向け地の回路図番号を０２ｄ３−０２として入力する）実行する。
【００２７】
制御部１１は、記憶部１２に記憶されている情報、つまり、選択されるべき既存の回路図の情報を格納するファイルを検索する。（ステップ６）
【００２８】
記憶部１２に選択された既存の回路図のｆｉｌｅ番号が記憶されている場合、処理は、次のステップ８に移り、記憶されていない場合、異なる既存の回路図を新回路図のモデルとするようステップ５に戻り、選択されるべき既存の回路図のｆｉｌｅ番号を入力させる。（ステップ７）
【００２９】
次に、制御部１１は、検索されたファイルのコピーを作成する。（ステップ８）図８は、本発明におけるファイル構成のイメージ図であり、既存の仕向け地データ０２ｄ３−０１に対して新仕向け地データ０２ｄ３−０２が表示されている。なお、この図は、新仕向け地向けのデータが修正された後のファイル構成のイメージ図である。
【００３０】
作成されたコピーと、入力部１３より入力された仕向け地用のファイル番号とを対応付け新回路図用のファイルとする。（ステップ９）
【００３１】
作成されたコピーにあたる選択された既存の回路図の仕向け地（各部品定数）と、入力部１３により入力された仕向け地（各部品定数）とを制御部１１によって比較する。（ステップ１０）
【００３２】
比較の結果、各部品の定数が一致しているものは、変更する必要がなく、選択された既存の回路図の内容をそのまま新回路図とすることができる。この場合、選択された既存の回路図の内容を新回路図のものとして表示部１０に表示して処理を終える（ステップ１２）。一致しないものは、選択された既存の回路図の各部品の定数を新回路図の仕向け地に応じた値に変更するため、仕向け地に応じた値を各部品ごと入力部１３より入力する。（ステップ１１）入力が終わると入力され変更されたものを新回路図として表示部１０に表示する。（ステップ１２）
【００３３】
比較結果の、一致・不一致は制御部１１の制御で表示部１０により表示されるので、操作は非常に簡単なものとなり、入力ミスによるエラーを有する新回路図を作成、保存する危険が少ない。新仕向け地のデータの作成過程を、図９に示す。新仕向け地向けのデータは既存の仕向け地向けのデータをコピーした後、必要な部品に対して修正を入力することにより実行される。
【００３４】
以下、本発明の仕向け地追加操作のステップをまとめて説明する。
１  メニュー画面を立ち上げる。（コマンド入力、若しくは対応キーによる）
２  仕向け地追加の項目を選択する。
３  作成したい新仕向け地の回路図をファイル番号と、コピーしたい元の既存の回路図のファイル番号を入力し、実行若しくはリターンキーを押す。
４  ディレクトリから元となる既存のファイルを検索し、指定した番号でコピーを行い新仕向け地の回路図データファイルを作成する。
５  回路図ファイルデータに新仕向け地用の枠を自動的に作成する。
６  自動的に作成された新仕向け地用の枠内に、コピーした既存の回路図のデータを対応づけて表示する。
７  新仕向け地用に変更すべきデータを変更する。
８  終了処理により、新仕向け地向けのデータが新たな既存データとして登録される。
【産業上の利用可能性】
【００３５】
本発明は、既に作成してある回路図を用いて仕様の異なる同一機能の電子機器の回路図を、効率よく作成できる。例えば、同一機能のＤＶＤを多数国向けに輸出する場合、日本国向けに作成した回路図を用いて、各国の仕様に適合させた回路図を効率よく作成できるので、各国向けの回路図の作成時間及び作成コストを短縮及び削減できる。
【図面の簡単な説明】
【００３６】
【図１】本発明の実施例の電子機器の回路図作成装置の概略図である。
【図２】メニュー画面を示す図である。
【図３】本発明の実施例の電子機器の回路図作成装置の構成図である。
【図４】本発明の実施例のディレクトリ内のファイル構成を示す図である。
【図５】各ファイル内の部品情報を示す図である。
【図６】本発明の実施例の電子機器の回路作成方法を示す図である。
【図７】本発明の制御部の詳細構成を示す図である。
【図８】本発明のファイル構成イメージを示す図である。
【図９】新仕向け地情報を作成する場合の遷移図である。
【符号の説明】
【００３７】
１０  表示部
１１  制御部
１２  記憶部
１３  入力部
【図１】
2005309637.tif 000003
【図２】
2005309637.tif 000004
【図３】
2005309637.tif 000005
【図４】
2005309637.tif 000006
【図５】
2005309637.tif 000007
【図６】
2005309637.tif 000008
【図７】
2005309637.tif 000009
【図８】
2005309637.tif 000010
【図９】
2005309637.tif 000011